【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
レーザパルス光を出射するレーザ発振器と、
前記レーザパルス光をタービン翼近くまで伝送することのできる導光系と、
前記導光系からのレーザパルス光を取り込み、前記タービン翼の表面であって該表面に付着した酸化鉄やアカガナイト(β-FeOOH)等を主成分としたスケールに照射する照射装置と、
を具備したことを特徴とするレーザを用いたタービンスケール除去装置。
【請求項２】
前記照射装置は、前記タービン翼近辺に配設されたガイドレールを備えた移動手段により前記ガイドレールに沿って移動可能としたことを特徴とする請求項１に記載のタービンスケール除去装置。
【請求項３】
前記照射装置は、前記レーザ発振器からのレーザパルス光を平行光に変換する光学素子と、該光学素子により変換された平行光を所定の振幅で走査する走査用ミラーと、該走査用ミラーからのレーザ光を集光する集光素子とからなることを特徴とする請求項１又は請求項２に記載のレーザを用いたタービンスケール除去装置。
【請求項４】
前記照射装置は、前記レーザ発振器からのレーザパルス光を平行光に変換する光学素子と、該光学素子により変換された平行光を線状に集光するシリンドリカルレンズ等の光学素子とからなることを特徴とする請求項１又は請求項２に記載のレーザを用いたタービンスケール除去装置。
【請求項５】
前記照射装置は、前記レーザ発振器からのレーザパルス光を平行光に変換する光学素子と、該光学素子により変換された平行光を所定方向に折り曲げるミラーと、該ミラーからのレーザ光を線状に集光するシリンドリカルレンズ等の光学素子とからなることを特徴とする請求項１又は請求項２に記載のレーザを用いたタービンスケール除去装置。
【請求項６】
請求項１又は請求項２に記載のレーザを用いたタービンスケール除去装置を使用して前記タービン翼の表面に付着したスケールを除去する場合、前記照射装置からのパルスエネルギー密度を１００ｍJ/cm2以上３５７ｍJ/cm2以下の範囲内で行うことを特徴とするレーザを用いたタービンスケール除去方法。
【請求項７】
請求項１又は請求項２に記載のレーザを用いたタービンスケール除去装置を使用して前記タービン翼の表面に付着したスケールを除去する場合、前記照射装置からのパルスエネルギー密度を５０ｍJ/cm2以上５００ｍJ/cm2以下の範囲内で行うことを特徴とするレーザを用いたタービンスケール除去方法。
【請求項８】
請求項１又は請求項２に記載のレーザを用いたタービンスケール除去装置を使用して前記タービン翼の表面に付着したスケールを除去する場合、前記照射装置からのパルスの重畳数を４０回以上１０００回以下の範囲内で行うことを特徴とするレーザを用いたタービンスケール除去方法。
【請求項９】
請求項１又は請求項２に記載のレーザを用いたタービンスケール除去装置を使用して前記タービン翼の表面に付着したスケールを除去する場合、前記照射装置からのパルスの重畳数を４０回以上１６００回以下の範囲内で行うことを特徴とするレーザを用いたタービンスケール除去方法。
【請求項１０】
請求項１又は請求項２に記載のレーザを用いたタービンスケール除去装置を使用して前記タービン翼の表面に付着したスケールを除去する場合、前記照射装置からのレーザパルスの時間幅を５０ns以上１５０ns以下の範囲内で行うことを特徴とするレーザを用いたタービンスケール除去方法。
【手続補正２】
【補正対象書類名】明細書
【補正対象項目名】０００７
【補正方法】変更
【補正の内容】
【０００７】
【課題を解決するための手段】
前記目的を達成するため、請求項１に対応する発明は、レーザパルス光を出射するレーザ発振器と、
前記レーザパルス光をタービン翼近くまで伝送することのできる導光系と、
前記導光系からのレーザパルス光を取り込み、前記タービン翼の表面であって該表面に付着した酸化鉄やアカガナイト(β-FeOOH)等を主成分としたスケールに照射する照射装置と、
を具備したことを特徴とするレーザを用いたタービンスケール除去装置である。
前記目的を達成するため、請求項２に対応する発明は、次のようにしたものである。すなわち、前記照射装置は、前記タービン翼近辺に配設されたガイドレールを備えた移動手段により前記ガイドレールに沿って移動可能としたことを特徴とする請求項１に記載のタービンスケール除去装置である。
【手続補正３】
【補正対象書類名】明細書
【補正対象項目名】０００８
【補正方法】変更
【補正の内容】
【０００８】
前記目的を達成するため、請求項３に対応する発明は、次のように構成したものである。すなわち、前記照射装置は、前記レーザ発振器からのレーザパルス光を平行光に変換する光学素子と、該光学素子により変換された平行光を所定の振幅で走査する走査用ミラーと、該走査用ミラーからのレーザ光を集光する集光素子とからなることを特徴とする請求項１又は請求項２に記載のレーザを用いたタービンスケール除去装置である。
【手続補正４】
【補正対象書類名】明細書
【補正対象項目名】０００９
【補正方法】変更
【補正の内容】
【０００９】
前記目的を達成するため、請求項４に対応する発明は、次のように構成したものである。すなわち、前記照射装置は、前記レーザ発振器からのレーザパルス光を平行光に変換する光学素子と、該光学素子により変換された平行光を線状に集光するシリンドリカルレンズ等の光学素子とからなることを特徴とする請求項１又は請求項２に記載のレーザを用いたタービンスケール除去装置である。
前記目的を達成するため、請求項５に対応する発明は、次のように構成したものである。すなわち、前記照射装置は、前記レーザ発振器からのレーザパルス光を平行光に変換する光学素子と、該光学素子により変換された平行光を所定方向に折り曲げるミラーと、該ミラーからのレーザ光を線状に集光するシリンドリカルレンズ等の光学素子とからなることを特徴とする請求項１又は請求項２に記載のレーザを用いたタービンスケール除去装置である。
【手続補正５】
【補正対象書類名】明細書
【補正対象項目名】００１０
【補正方法】変更
【補正の内容】
【００１０】
前記目的を達成するため、請求項６に対応する発明は、請求項１又は請求項２に記載のレーザを用いたタービンスケール除去装置を使用して前記タービン翼の表面に付着したスケールを除去する場合、前記照射装置からのパルスエネルギー密度を１００ｍJ/cm2以上３５７ｍJ/cm2以下の範囲内で行うことを特徴とするレーザを用いたタービンスケール除去方法である。
【手続補正６】
【補正対象書類名】明細書
【補正対象項目名】００１１
【補正方法】変更
【補正の内容】
【００１１】
前記目的を達成するため、請求項７に対応する発明は、請求項１又は請求項２に記載のレーザを用いたタービンスケール除去装置を使用して前記タービン翼の表面に付着したスケールを除去する場合、前記照射装置からのパルスエネルギー密度を５０ｍJ/cm2以上５００ｍJ/cm2以下の範囲内で行うことを特徴とするレーザを用いたタービンスケール除去方法である。
【手続補正７】
【補正対象書類名】明細書
【補正対象項目名】００１２
【補正方法】変更
【補正の内容】
【００１２】
前記目的を達成するため、請求項８に対応する発明は、請求項１又は請求項２に記載のレーザを用いたタービンスケール除去装置を使用して前記タービン翼の表面に付着したスケールを除去する場合、前記照射装置からのパルスの重畳数を４０回以上１０００回以下の範囲内で行うことを特徴とするレーザを用いたタービンスケール除去方法である。
【手続補正８】
【補正対象書類名】明細書
【補正対象項目名】００１３
【補正方法】変更
【補正の内容】
【００１３】
前記目的を達成するため、請求項９に対応する発明は、請求項１又は請求項２に記載のレーザを用いたタービンスケール除去装置を使用して前記タービン翼の表面に付着したスケールを除去する場合、前記照射装置からのパルスの重畳数を４０回以上１６００回以下の範囲内で行うことを特徴とするレーザを用いたタービンスケール除去方法である。
【手続補正９】
【補正対象書類名】明細書
【補正対象項目名】００１４
【補正方法】変更
【補正の内容】
【００１４】
前記目的を達成するため、請求項１０に対応する発明は、請求項１又は請求項２に記載のレーザを用いたタービンスケール除去装置を使用して前記タービン翼の表面に付着したスケールを除去する場合、前記照射装置からのレーザパルスの時間幅を５０ns以上１５０ns以下の範囲内で行うことを特徴とするレーザを用いたタービンスケール除去方法である。